(57)【特許請求の範囲】
【請求項１】
放送番組の受信手段と、
放送番組に対する処理を予約する予約手段と、
端末状態を検知する端末状態検知手段と、
予め設定した時刻に至る迄の前記端末状態検知手段で検知した端末状態に応じて、前記予約手段で予約した放送番組に対する処理を修正する制御を行う端末動作制御手段と、
前記端末動作制御手段の制御内容を端末状態に応じて設定する端末動作設定手段と、を備え、
前記端末状態検知手段は、端末の待機状態のうち、前記端末状態検知手段によって予め設定した時刻に至る迄の前記端末の通話状態、通信状態の少なくとも１つを検知する通信端末。
【請求項２】
請求項１記載の通信端末であって、
前記端末動作制御手段は、アラーム通知を行わせる制御を行う通信端末。
【請求項３】
請求項１又は２記載の通信端末であって、
前記端末動作制御手段は、予約した放送番組を視聴可能に出力させる制御を行う通信端末。
【請求項４】
請求項１ないし３のいずれか一項記載の通信端末であって、
前記端末動作制御手段は、予約した放送番組の記録を行わせる制御を行う通信端末。
【請求項５】
請求項１ないし４のいずれか一項記載の通信端末であって、
前記端末動作制御手段は、ユーザが設定した処理形態で制御を行う通信端末。
【請求項６】
請求項１ないし５のいずれか一項記載の通信端末であって、
前記端末動作制御手段は、出力されている放送番組の種類に応じた制御を行う通信端末。
【請求項７】
請求項１ないし６のいずれか一項記載の通信端末であって、
前記端末動作制御手段は、番組に設定された重要度に応じた制御を行う通信端末。
【請求項８】
請求項１ないし７のいずれか一項記載の通信端末であって、
前記端末動作制御手段は、通話先の相手端末毎に設定された重要度に応じた制御を行う通信端末。
【請求項９】
請求項１ないし８のいずれか一項記載の通信端末であって、
前記放送番組に関する情報を抽出する番組情報抽出手段を備え、
前記端末動作制御手段は、抽出した情報に応じた制御を行う通信端末。
【請求項１０】
請求項１ないし９のいずれか一項記載の通信端末であって、
前記端末動作制御手段は、前記放送番組の音声認識結果に応じた制御を行う通信端末。
【請求項１１】
請求項１ないし１０のいずれか一項記載の通信端末であって、
前記端末動作制御手段は、前記放送番組の画像認識結果に応じた制御を行う通信端末。
【請求項１２】
請求項１ないし１１のいずれか一項記載の通信端末であって、
前記端末動作制御手段に対して任意の処理形態を設定する設定手段を備える通信端末。
【発明の詳細な説明】
【技術分野】
【０００１】
本発明は、放送番組の受信機能を有する通信端末に関する。
【背景技術】
【０００２】
携帯電話端末は、多機能化が進み、通話機能、電子メールの送受信機能のほかに、テレビ電話機能、テレビ放送やラジオ放送の受信機能、アラーム通知機能などを行なうことができるようになってきている。このような携帯電話端末においては、テレビ視聴中にも通話することができ、またテレビ視聴中に着信があった時点で録画を行なうこともできるので、通話中のテレビ番組の見逃しを防ぐことができる（例えば、特許文献１参照）。また、テレビ電話で通話中の会話をメモリに記録するとともに、テレビ電話の相手の映像を録画することもできる（例えば、特許文献２参照）。
【０００３】
このようなテレビ放送やラジオ放送の受信機能等を備えた携帯電話端末では、通常のビデオレコーダーのようにテレビ放送の予約による録画や録音が可能であり、予約による録画開始時刻にアラーム音で通知することができる。また、携帯電話端末に特有な機能として、予約による録画開始時刻に通話している場合は、アラーム音を通話音に重畳して通知するものもある。
【０００４】
【特許文献１】特開２００３−３４８５１０号公報
【特許文献２】特開２００３−３４８２２２号公報
【発明の開示】
【発明が解決しようとする課題】
【０００５】
しかしながら、上記従来の携帯電話端末にあっては、録画や録音を予約した場合の動作が固定的であったため、利用者の使用状態によっては、不適切あるいは不要な動作となる場合があった。
【０００６】
例えば、予約による録画開始時刻にアラーム通知を行なう場合は、単なる時刻の通知であるため、番組の最初の部分を見逃すことがあった。また、ある番組の録画を予約した場合には、予約時刻に既にその番組を視聴している場合でも録画されてしまい、メモリ容量およびバッテリー容量に制約がある携帯電話端末では不適切な動作となっていた。また、特許文献１に記載された方法は、テレビ視聴時の通話に限定されており、録画に関する対策は言及されていない。また、特許文献２に記載された方法は、テレビ放送の録画に関するものではない。このように、従来の携帯電話端末においては、視聴したいテレビ番組やラジオ番組などを予約する手段として録画機能があるが、それは指定時刻に到達した時点で無条件に記録を開始することを意図している。
【０００７】
しかしながら、予約した番組の開始時刻に、「通話状態」、「予約した該当番組を視聴中」、「予約した番組とは別の番組を視聴中」あるいは「無操作状態」など様々な状態がある携帯電話端末では、固定的な記録動作が適切とはならない場合がある。また、携帯電話端末の処理能力の制約から、記録機能と通話処理自体を同時に処理できない場合もあり得る。これまでは、ビデオデータの録画機能や、時計のアラーム機能は一般的であるが、携帯電話端末のように、予約時刻に到達した時点でその装置の状態が変化するものが存在していなかった。このため、予約時刻に到達した時点におけるその装置の状態を考慮して、それぞれの機能の動作を決定することが検討されなかったものと考えられる。
【０００８】
しかしながら、地上波デジタルテレビ放送の導入などにより、携帯電話端末にテレビ受信機能を搭載することが普及するとともに、携帯電話端末の使用状態に応じて、それぞれの機能を適切に動作させる必要性が高くなった。
【０００９】
本発明は、上記従来の事情に鑑みてなされたものであって、端末状態に応じて変化するユーザの意図を適宜反映させることができ、利便性を向上させることができる通信端末を提供することを目的としている。
【課題を解決するための手段】
【００１０】
本発明の通信端末は、放送番組の受信手段と、放送番組に対する処理を予約する予約手段と、端末状態を検知する端末状態検知手段と、予め設定した時刻に至る迄の前記端末状態検知手段で検知した端末状態に応じて、前記予約手段で予約した放送番組に対する処理を修正する制御を行う端末動作制御手段と、前記端末動作制御手段の制御内容を端末状態に応じて設定する端末動作設定手段と、を備え、前記端末状態検知手段は、端末の待機状態のうち、前記端末状態検知手段によって予め設定した時刻に至る迄の前記端末の通話状態、通信状態の少なくとも１つを検知することにより、放送番組の記録や表示等の予約した処理を端末状態に応じて修正することができる為、予め設定した時刻に至る迄の端末状態に応じて変化するユーザの意図を適宜反映させることができ、利便性を向上させることができる。
【発明の効果】
【００２１】
本発明によれば、予め設定した時刻に至る迄の端末状態に応じて予約した処理を修正する制御を行う制御手段を備えることにより、放送番組の記録や表示等の予約した処理を端末状態に応じて修正することができる為、端末状態に応じて変化するユーザの意図を適宜反映させることができ、利便性を向上させることができる。
【発明を実施するための最良の形態】
【００２２】
図１は、本発明の実施形態を説明するための携帯電話端末の全体構成を示す図である。
同図に示すように、本実施形態の携帯電話端末は、放送受信部１０と、情報分離手段２１と、番組情報抽出手段２３と、復号手段２２と、無線制御部５０と、通信制御手段６１と、復号手段６２と、符号化手段６３とを備える。また、本実施形態の携帯電話端末は、番組予約手段３１と、受信情報記録手段３２と、アラーム通知手段３３と、端末状態検知手段４２と、端末動作制御手段４３と、端末動作設定手段４１と、ユーザ通知手段４４と、重畳手段７０とを備える。
【００２３】
放送受信部１０は、テレビ放送やラジオ放送を受信して検波する。情報分離手段２１は、受信したテレビ・ラジオ放送ストリームを、画像・音声・データ（番組情報を含む）に分離する。番組情報抽出手段２３は、データ（ＥＰＧ（Electronic Program Guide）データ、ＢＭＬ（Broadcast Markup Language）記述のブラウズ情報、番組・シーンに関するメタ情報等）から番組予約に用いる番組情報を抽出する。復号手段２２は、放送コンテンツを構成する画像・音声・データを復号して可視・可聴データを出力する。無線制御部５０は、無線公衆網への接続と通信の制御、および通話・電子メール等の送受信を行う。通信制御手段６１は、通話処理の制御を行なう。復号手段６２は、受信した音声データを復号する。符号化手段６３は、マイクロフォン（ＭＩＣ）から入力される送信音声を符号化する。
【００２４】
また、番組予約手段３１は、放送番組に対する処理を予約するものであり、視聴したい番組・シーンを放送時刻、出演者名・ジャンル等の条件を指定して予約することができ、番組・シーン開始時に通知する。受信情報記録手段３２は、受信した放送ストリームを内蔵メモリまたは外部メモリに記録する。アラーム通知手段３３は、端末内で発生する各種アラーム（バッテリーアラーム、スケジュールアラーム等）を通知する。
【００２５】
また、端末状態検知手段４２は、端末状態を検知するものであり、自端末の状態が番組出力状態、通話状態及び待機状態のいずれであるか等を検知する。端末動作制御手段４３は、予め設定した時刻に至る迄の端末状態に応じて、予約した処理を修正する制御を行うものである。端末動作制御手段４３は、番組情報抽出手段２３、番組予約手段３１、アラーム通知手段３３、端末状態検知手段４２から通知される情報に基づいて端末動作を決定し制御を行なう。端末動作設定手段４１は、端末動作制御手段４３の制御内容を規定する設定情報の複数の選択肢をユーザに示し、選択された設定情報を保持する。
【００２６】
さらに、ユーザ通知手段４４は、画像表示、警告音再生、ＬＥＤ点滅、バイブレータ（ｖｉｂ）駆動等で番組開始・アラームをユーザに通知する。重畳手段７０は、番組映像、通話音声とユーザ通知手段４４が発する画像・音声を重畳してＬＣＤ表示、スピーカ（ＳＰ）、ヘッドセット（ＨＳ）へ出力を行なう。なお、ＬＥＤやｖｉｂを重畳手段７０に接続してもよい。
【００２７】
（第１の実施形態）
図２は、本発明の第１の実施形態を説明するための携帯電話端末の概略構成を示す図である。同図に示すように、第１の実施形態の携帯電話端末は、前述した放送受信部１０、無線制御部５０、端末状態検知手段４２、端末動作制御手段４３、ユーザ通知手段４４および重畳手段７０と、情報分離手段２１および復号手段２２を含む放送受信情報処理部２０と、番組予約手段３１、受信情報記録手段３２およびアラーム通知手段３３を含む予約実行部３０と、通信制御手段６１、復号手段６２および符号化手段６３を含む通話処理部６０とを備える。
【００２８】
第１の実施形態の携帯電話端末においては、端末状態検知手段４２により、予め設定した時刻に至る迄の端末状態、すなわち、予約した番組が開始した時点及びアラームが発生した時点での端末状態を検出すると共に、端末動作制御手段４３により、従来固定の動作であった予約に対する処理を、端末状態に応じて修正する。
【００２９】
したがって、第１の実施形態の携帯電話端末によれば、従来固定であった動作、すなわち録画予約の場合、「予約」が「記録開始」に固定されていたものを、携帯電話端末の使用状態に応じて適切に予約した処理（この場合、録画）を修正することができる。
【００３０】
すなわち、「予約」を、視聴を忘れないための予定程度の位置付けとし、番組開始時刻近辺に達した時点で、携帯電話端末が待機状態（無操作状態）であればアラーム通知を行い、通話を行なっていれば記録するなど、携帯電話端末の状態に応じた動作を行なうことができる。
【００３１】
例えば、予約した番組の開始時刻に達する前に通話をしていれば、事前に通知する（記録と通話が同時処理できない端末などでは必要）。また、予約した番組を視聴中であれば、記録はしない（メモリ制約が大きな携帯端末においては有効）。また、放送開始時に別の番組を視聴中であれば事前に通知することにより、携帯電話端末の状態に応じた動作を行なうことができる。
【００３２】
このように、予め設定した時刻に至る迄の端末状態に応じて予約した処理を修正する制御を行うことにより、テレビ番組の録画（又はラジオ番組の録音）等の予約した処理を端末状態に応じて修正することができる為、端末状態に応じて変化するユーザの意図を適宜反映させることができ、利便性を向上させることができる。
【００３３】
（第２の実施形態）
図３は、本発明の第２の実施形態を説明するための携帯電話端末の概略構成を示す図である。同図において、第１の実施形態で説明した図２と重複する部分には同一の符号を付して説明を省略する。
【００３４】
第２の実施形態の携帯電話端末は、第1の実施形態に加えて、端末動作制御手段４３の制御内容を規定する設定情報を保持する端末動作設定手段４１を備え、番組開始に達した時点、アラームが発生した時点での動作を利用者が事前に設定可能とする。
【００３５】
第２の実施形態の携帯電話端末によれば、利用者の好み、端末の動作制約、予約番組・アラームの重要度に応じて端末動作を制御することができる。例えば、利用者の好みに応じて、放送開始に達した時点で通話を行っていた場合の動作を選択可能とすることができる。すなわち、放送開始に達した時点で記録を開始したり（同時処理が可能な場合のみ）、Ｎ分前に音声で番組開始を通知したり、番組再生を開始する（再生と通話の同時処理が可能な場合）ことができる。
【００３６】
（第３の実施形態）
図４は、本発明の第３の実施形態を説明するための携帯電話端末の概略構成を示す図である。同図において、第２の実施形態で説明した図３と重複する部分には同一の符号を付して説明を省略する。
【００３７】
第３の実施形態の携帯電話端末は、第２の実施形態に加えて、ＥＰＧデータ、ＢＭＬ記述のブラウズ情報、番組・シーンに関するメタ情報等のデータから番組予約に用いる番組情報を抽出する番組情報抽出手段２３を備え、放送に関する情報（ＥＰＧ、ブラウザ表示データ、番組メタデータ等）を抽出して番組予約手段３１、端末動作制御手段４３に通知する。
【００３８】
また、番組情報抽出手段２３は音声認識機能を備え、復号手段２２が出力する音声データを認識することにより放送に関する情報（番組名、出演者名、声優の名前、音声に含まれるキーワード等）を抽出して番組予約手段３１、端末動作制御手段４３に通知するようにしてもよい。また、番組情報抽出手段２３は画像認識機能を備え、復号手段２２が出力する画像データを認識することにより放送に関する情報（番組名、出演者名、登場人物やキャラクタの名前、テロップの文字列、被写体の名前（たとえば「自動車」、「船」）等）を抽出して番組予約手段３１、端末動作制御手段４３に通知するようにしてもよい。
【００３９】
第３の実施形態の携帯電話端末によれば、放送時刻の変更があった場合でも最新のＥＰＧデータを番組予約手段３１に通知して予約内容（開始時刻等）を自動変更することにより、見逃し／聞き逃しを防止することができる。
【００４０】
また、番組と共に順次受信される情報（ブラウザ表示データ等）、番組の画像・音声からリアルタイムに抽出される情報に基づいた重要度付け・予約が可能となり番組単位より細かい単位での通知が可能となる。
【００４１】
例えば、緊急放送の開始を通知したり、贔屓のタレントの音声を検出して「高重要度」イベントとして通知したり、ＢＭＬで記述されたブラウザ表示情報内容に特定のキーワード（例えば「激安」など）が出現したら通知することができる。
【００４２】
（第４の実施形態）
図５は、本発明の第４の実施形態を説明するための携帯電話端末の概略構成を示す図である。同図において、第３の実施形態で説明した図４と重複する部分には同一の符号を付して説明を省略する。
【００４３】
第４の実施形態の携帯電話端末は、第３の実施形態に加えて、予約に関する設定情報を格納する予約情報保持部３４と、アラームに関する設定情報を格納するアラーム設定保持部３５と、端末の動作に関する設定情報を格納する動作設定保持部４５と、電話番号に関する設定情報を格納する電話帳保持部６４とを備える。
【００４４】
図６は、動作設定保持部４５に格納される番組録画設定テーブル８１と、番組開始通知設定テーブル８２の１例を示す。すなわち、番組録画設定テーブル８１には、端末で予約時刻にすでに予約した番組を視聴している場合は、録画するかどうかをユーザに確認する設定、また、予約時刻に通話中の場合は録画する設定が登録されている。この設定は、ユーザが事前に設定することができる。
【００４５】
また、番組開始通知設定テーブル８２には、番組を予約した場合の端末の動作として、（１）予約番組の開始時に通知する。（２）予約番組の開始1分前に通知する。（３）予約番組の開始５分前に通知しない。（４）予約番組の開始時刻にすでに視聴中の場合は通知しない。（５）予約番組の開始時刻に通話中の場合は重要番組のみ通知する。（６）予約番組の開始時刻に待受け中の場合は番組を表示することが登録されている。この設定は、ユーザが事前に設定することができる。
【００４６】
図７は、予約情報保持部３４に格納される予約テーブル８３と、電話帳保持部６４に格納される電話帳設定テーブル８４の1例を示す。すなわち、予約テーブル８３には、予約１として、番組名１、開始時刻、終了時刻、重要度１が登録され、予約２として、番組名２、開始時刻、終了時刻、重要度２が登録され、予約３として、キーワード「歌手ａ」、重要度３が登録されている。
【００４７】
キーワードを設定すると、ＢＭＬ等で記述された放送番組のブラウザ表示データにそのキーワードが含まれている場合に、放送スケジュールに基づいて、該当する番組の番組開始時刻から録画を開始することができる。また、重要度３は最も重要度が高く、他の予約と重なった場合に重要度の高い予約が優先される。
【００４８】
また、電話帳設定テーブル８４には、電話帳グループ名と重要度が登録され、この例では、仕事グループは重要度３、家族グループは重要度２、友人グループは重要度２に設定されている。これらの重要度もユーザが事前に設定することができ、端末の動作を決定する場合に考慮される。
【００４９】
図８は、アラーム設定保持部３５に格納されるアラーム設定テーブル８５と、スケジュール設定テーブル８６の1例を示す。すなわち、アラーム設定テーブル８５には、アラーム種別と動作が登録され、例えば、（１）バッテリー残量が少ない場合に通知する。（２）スケジュールアラームは、重要スケジュールのみ通知するように設定されている。
【００５０】
また、スケジュール設定テーブル８６には、スケジュール１として、内容「会議」、アラーム時刻、重要度３が登録され、スケジュール２として、内容「出張」、アラーム時刻、重要度２が登録され、スケジュール３として、内容「待ち合せ」、アラーム時刻、重要度３が登録されている。これらの登録内容はユーザが事前に設定することができ、端末の動作を決定する場合に考慮される。
【００５１】
図９は、本実施形態の携帯電話端末における端末動作制御手段４３の処理内容の１例を示すフローチャートである。端末動作制御ループが開始されると、まず、番組予約手段３１が番組開始の情報を問合せ（ステップＳ１０１）、番組開始時刻を判断する（ステップＳ１０２）。番組開始時刻の場合（Ｙ）、番組開始通知設定テーブル８２（図６参照）の条件「番組開始時」の設定値を参照し（ステップＳ１１１）、設定値が「通知する」かどうか判断する（ステップＳ１１２）。設定値が「通知する」の場合（Ｙ）は、通知条件に従って通知１のサブルーチン（図１１で説明する）を行ない（ステップＳ１１３）、録画開始処理サブルーチン（図１２で説明する）を行なう（ステップＳ１１４）。
【００５２】
一方、ステップＳ１０２で番組開始時刻でない場合は、番組開始1分前かどうか判断し（ステップＳ１０３）、番組開始1分前の場合（Ｙ）は、番組開始通知設定テーブル８２の条件「開始1分前」の設定値を参照し（ステップＳ１０８）、設定値が「通知する」かどうか判断する（ステップＳ１０９）。設定値が「通知する」の場合（Ｙ）は、通知条件に従って通知１のサブルーチンを行なう（ステップＳ１１０）。
【００５３】
また、ステップＳ１０３で番組開始1分前でない場合は、番組開始５分前かどうか判断し（ステップＳ１０４）、番組開始５分前の場合（Ｙ）は、番組開始通知設定テーブル８２の条件「開始５分前」の設定値を参照し（ステップＳ１０５）、設定値が「通知する」かどうか判断する（ステップＳ１０６）。設定値が「通知する」の場合（Ｙ）は、通知条件に従って通知１のサブルーチンを行なう（ステップＳ１０７）。
【００５４】
次に、図１０に移行し、アラーム通知手段３３にアラームの有無を問い合せる（ステップＳ２０１）。そして、バッテリーアラームの有無を判断し（ステップＳ２０２）、バッテリーアラームがある場合（Ｙ）は、アラーム設定テーブル８５（図８参照）の条件「バッテリー残量」の設定値を参照する（ステップＳ２０７）。そして設定値を判断し（ステップＳ２０８）、設定値が「通知する」の場合は、ユーザ通知手段４４に通知を指示する（ステップＳ２０９）。
【００５５】
一方、ステップＳ２０２でバッテリーアラームがない場合は、スケジュールアラームの有無を判断し（ステップＳ２０３）、スケジュールアラームがある場合（Ｙ）は、アラーム設定テーブル８５の条件「スケジュールアラーム」の設定値を参照する（ステップＳ２０４）。そして設定値を判断し（ステップＳ２０５）、設定値が「重要スケジュールのみ通知」の場合は、その通知条件に従って通知２のサブルーチン（図１３で説明する）を行なう（ステップＳ２０６）。そして、端末動作制御ループを終了する。
【００５６】
図１１は、通知条件に従って通知１を行なうサブルーチンを示す。通知１のサブルーチンが開始されると、まず、端末状態検知手段４２により端末状態を検知し（ステップＳ３０１）、端末状態を判断する（ステップＳ３０２）。そして、端末状態がＴＶ視聴中の場合は、予約番組のチャンネルを表示中かどうか判断し（ステップＳ３０３）、予約番組のチャンネルを表示中の場合（Ｙ）は、番組開始通知設定テーブル８２の「すでに視聴中」の設定値を参照する（ステップＳ３０４）。
【００５７】
そして、設定値を判断し（ステップＳ３０５）、設定値が「通知する」の場合は、ユーザ通知手段４４にバリエーション（１）の通知を行なうように指示する（ステップＳ３０６）。バリエーション（１）の通知は、図１４に示すように、ＬＣＤに字幕表示で、例えば「間もなくご覧のチャンネルで○○が始まります」と表示する。
【００５８】
一方、ステップＳ３０３において、予約番組のチャンネルを表示中でない場合は、ユーザ通知手段４４にバリエーション（２）の通知を行なうように指示する（ステップＳ３０７）。バリエーション（２）の通知は、図１４に示すように、ＬＣＤに字幕表示で、例えば「間もなく△チャンネルで○○が始まります」と表示し、スピーカまたはヘッドセットでアラーム音を鳴動させる。
【００５９】
また、ステップＳ３０２において、端末状態が通話中の場合は、番組開始通知設定テーブル８２の「通話中」の設定値を参照し（ステップＳ３０８）、設定値を判断する（ステップＳ３０９）。そして、設定値が、「重要番組のみ通知」の場合は、予約番組の重要度を予約テーブル８３（図７参照）で参照する（ここで予約番組の重要度をＡとする）（ステップＳ３１０）。
【００６０】
次に、電話帳設定テーブル８４（図７参照）で通話相手のグループの重要度を参照し（通話相手のグループの重要度をＢとする）（ステップＳ３１１）、それぞれの重要度Ａ，Ｂを判断する（ステップＳ３１２）。そして、予約番組の重要度Ａが、通話相手のグループの重要度Ｂより重要あるいは等しい場合（Ｙ）は、ユーザ通知手段４４にバリエーション（３）の通知を行なうように指示する（ステップＳ３１３）。バリエーション（３）の通知は、図１４に示すように、ＬＣＤに点滅文字表示で「 ○○ （△チャンネル）！」と表示し、ＬＥＤを点滅させ、バイブレーション（ｖｉｂ）を振動させる。
【００６１】
一方、ステップＳ３０２において、端末状態が待受け中の場合は、番組開始通知設定テーブル８２の「待受け中」の設定値を参照し（ステップＳ３１４）、設定値を判断する（ステップＳ３１５）。そして、設定値が「通知する」の場合は、ユーザ通知手段４４にバリエーション（４）の通知を行なうように指示する（ステップＳ３１６）。
【００６２】
バリエーション（４）の通知は、図１４に示すように、ＬＣＤに点滅文字表示で「 ○○ （△チャンネル）！」と表示し、スピーカまたはヘッドセットでアラーム音を鳴動させ、ＬＥＤを点滅させ、バイブレーション（ｖｉｂ）を振動させる。一方、ステップＳ３１５において、設定値が「番組を表示」の場合は、予約番組のチャンネルに切替えて表示する（ステップＳ３１７）。そして、通知条件に従って通知１のサブルーチンを終了する。
【００６３】
図１２は、録画開始処理サブルーチンを示す。録画開始処理サブルーチンが開始されると、まず、端末状態検知手段４２により端末状態を検知し（ステップＳ４０１）、端末状態を判断する（ステップＳ４０２）。そして、端末状態が番組視聴中の場合は、予約番組のチャンネルを表示中かどうか判断し（ステップＳ４０３）、予約番組のチャンネルを表示中の場合（Ｙ）は、番組録画設定テーブル８１（図６参照）の「予約番組視聴中」の設定値を参照し（ステップＳ４０４）、その設定値を判断する（ステップＳ４０５）。
【００６４】
その設定値が「ユーザに確認」の場合は、受信情報記録手段３２に録画を指示し（ステップＳ４０６）、ユーザ通知手段４４に中止確認を指示する（ステップＳ４０７）。そして、録画中止かどうか判断し（ステップＳ４０８）、録画中止の場合（Ｙ）は、受信情報記録手段３２に録画中止を指示する（ステップＳ４０９）。一方、ステップＳ４０３において予約番組のチャンネルを表示中でない場合、およびステップＳ４０５において、設定値が「録画する」の場合は、受信情報記録手段３２に録画を指示する（ステップＳ４１０）。
【００６５】
また、ステップＳ４０２において、端末状態が通話中の場合は、番組録画設定テーブル８１の「通話中」の設定値を参照し（ステップＳ４１１）、その設定値を判断する（ステップＳ４１２）。そして、設定値が、「重要度２以上のみ録画」の場合は、予約番組の重要度を予約テーブル８３で参照し（ここで予約番組の重要度をＡとする）（ステップＳ４１３）、その設定値が２以上かどうか判断する（ステップＳ４１４）。そして、予約番組の重要度Ａが２以上の場合（Ｙ）は、受信情報記録手段３２に録画を指示する（ステップＳ４１７）。
【００６６】
一方、ステップＳ４１２において、設定値が「重要度３以上のみ録画」に場合は、予約番組の重要度を予約テーブル８３で参照し（ここで予約番組の重要度をＡとする）（ステップＳ４１５）、その設定値が３以上かどうか判断する（ステップＳ４１６）。そして、予約番組の重要度Ａが３以上の場合（Ｙ）は、受信情報記録手段３２に録画を指示する（ステップＳ４１７）。また、ステップＳ４０２において、端末状態が待受け中の場合は、受信情報記録手段３２に録画を指示し（ステップＳ４１８）、録画開始処理サブルーチンを終了する。
【００６７】
図１３は、通知条件に従って通知２を行なう場合のサブルーチンを示す。通知２のサブルーチンを開始する場合は、まず、端末状態検知手段４２において端末状態を検知し（ステップＳ５０１）、端末状態を判断する（ステップＳ５０２）。そして、端末状態が「通話中」の場合は、スケジュール設定テーブル８６（図８参照）でスケジュールの重要度を参照し（ここでスケジュールの重要度をＡとする）（ステップＳ５０３）、電話帳設定テーブル８４（図７参照）で通話相手のグループの重要度を参照する（ここで通話相手のグループの重要度をＢとする）（ステップＳ５０４）。
【００６８】
そして、スケジュールの重要度Ａが、通話相手のグループの重要度Ｂより重要あるいは等しいかどうかを判断し（ステップＳ５０５）、スケジュールの重要度Ａが通話相手のグループの重要度Ｂより重要あるいは等しい場合（Ｙ）は、ユーザ通知手段４４に通知を指示する（ステップＳ５０６）。一方、ステップＳ５０２において、端末状態がＴＶ視聴中または待受け中の場合は、ユーザ通知手段４４に通知を指示し（ステップＳ５０６）、通知条件に従って通知２を行なうサブルーチンを終了する。
【００６９】
ここで、予約した番組開始時の動作例についてまとめておく。まず、予約した番組の開始時刻に、（Ａ）既に該当の番組を視聴中の場合は、（１）録画／録音を開始する。（２）予約時刻の一定時間前に番組開始を予告する。（３）番組・シーン開始（該当番組視聴中であることが条件）の通知を行なう（音声または表示により）。
【００７０】
また、（Ｂ）予約した番組とは別の番組を視聴中の場合は、（１）録画／録音を開始する（複数番組の同時受信が可能な場合のみ選択可能）。（２）予約時刻の一定時間前に番組開始を予告する。（３）番組・シーン開始（別の番組を視聴中であることが条件）の通知（音声または表示により）。（４）予約していた番組・シーンに強制的に切替える。
【００７１】
また、（Ｃ）通話中の場合は、（１）録画／録音を開始する（記録と通話の同時処理が可能な場合のみ選択可能）。（２）予約番組の再生を開始する（音声は通話音に重畳）。（３）予約時刻の一定時間前に番組開始を予告する。（４）番組・シーン開始を通知する（音声または表示により）。また、（Ｄ）待ち受け中（無操作）の場合は、（１）録画／録音を開始する。
【００７２】
次に、本実施形態の携帯電話端末における動作例のバリエーションについて説明する。動作例のバリエーションとしては、（Ｅ）通話中の通知方法として、音により番組開始を通知する場合は、本体スピーカを鳴動あるいは、通話音声に通知音を重畳させて、ヘッドフォンで再生する方法がある。
【００７３】
また、（Ｆ）端末動作の設定方法としては、予めよく利用する設定パターンを準備しておき、その設定パターンを選択することにより端末動作制御手段４３に対して任意の処理形態を設定する手段を利用者に提供し、間接的に予約時刻に達した時の動作を選択させる。
【００７４】
また、（Ｇ）番組開始時、アラーム発生時に通話状態であった場合の動作として、端末内に登録されたアドレス帳情報を参照し、通話中の相手により動作を変化させる。重要な相手の場合は再生・通知は行わない。
【００７５】
また、（Ｈ）番組の予約内容の変更として、番組の開始時刻に達する前に、何らかの方法により放送予定に関する情報が入手可能な場合、その情報を元に「予約時刻」の更新を行なう。これにより、野球中継の延長により以降の放送時刻が変更になった場合などに対応する（ＥＰＧ利用を想定）ことが可能である。
【００７６】
本発明は、テレビ放送やラジオ放送受信機能、アラーム通知機能等を内蔵する携帯電話端末等の通信端末において、観たい／聴きたい番組の開始、所望のシーンの開始、アラームを通知する際、端末の状態（待ち受け、通話中等）および通知の重要度等に応じて最適な方法を自動的に選択して通知を行なう場合に利用可能である。
【００７７】
なお、以上、携帯電話端末を例に説明したが、ＴＶ受信機能及び通信機能を持つゲーム機やＴＶ受信機能及び通信機能（チャット機能等）とを持つＰＤＡ等でも、本発明を同様に実施できる。
【００７８】
また、以上、番組出力状態、通話状態及び待機状態の少なくとも１つに基づいて端末状態を検知する例を説明したが、他にも、チャット、電話会議、ストリーミング再生、ファイルのダウンロード等の通信が行われている状態（通信状態）や、メモリに記録されている音楽、録画済の番組等を再生している状態（コンテンツ再生状態）等の少なくとも１つの状態を検知してもよい。
【００７９】
また、各設定テーブルの内容等、端末動作制御手段に対して任意の処理形態を設定するためのプログラムを外部（ネットワーク、放送、外部機器、蓄積メディア等）から読み込んでもよい。
【００８０】
本発明を詳細にまた特定の実施態様を参照して説明したが、本発明の精神と範囲を逸脱することなく様々な変更や修正を加えることができることは当業者にとって明らかである。
本出願は、2004年8月27日出願の日本特許出願（特願2004−247929）に基づくものであり、その内容はここに参照として取り込まれる。
【産業上の利用可能性】
【００８１】
本発明は、予め設定した時刻に至る迄の端末状態に応じて予約した処理を修正する制御を行う制御手段を備えることにより、放送番組の記録や表示等の予約した処理を端末状態に応じて修正することができる為、端末状態に応じて変化するユーザの意図を適宜反映させることができ、利便性を向上させることができる効果を有し、放送番組の受信機能を有する通信端末等に有用である。
【図面の簡単な説明】
【００８２】
【図１】本発明の実施形態を説明するための携帯電話端末の全体構成を示す図
【図２】本発明の第１の実施形態を説明するための携帯電話端末の概略構成を示す図
【図３】本発明の第２の実施形態を説明するための携帯電話端末の概略構成を示す図
【図４】本発明の第３の実施形態を説明するための携帯電話端末の概略構成を示す図
【図５】本発明の第４の実施形態を説明するための携帯電話端末の概略構成を示す図
【図６】動作設定保持部４５に格納される番組録画設定テーブル８１と番組開始通知設定テーブル８２の１例
【図７】予約情報保持部３４に格納される予約テーブル８３と電話帳保持部６４に格納される電話帳設定テーブル８４の１例
【図８】アラーム設定保持部３５に格納されるアラーム設定テーブル８５とスケジュール設定テーブル８６の１例
【図９】本実施形態の携帯電話端末における端末動作制御手段４３の処理内容の1例を示すフローチャート（１）
【図１０】本実施形態の携帯電話端末における端末動作制御手段４３の処理内容の1例を示すフローチャート（２）
【図１１】通知条件に従って通知１を行なうサブルーチンを示すフローチャート
【図１２】録画開始処理サブルーチンを示すフローチャート
【図１３】通知条件に従って通知２を行なうサブルーチンを示すフローチャート
【図１４】ユーザ通知手段４４の通知のバリエーションを説明するための図
【符号の説明】
【００８３】
１０  放送受信部
２０  放送受信情報処理部
２１  情報分離手段
２２  復号手段
２３  番組情報抽出手段
３０  予約実行部
３１  番組予約手段
３２  受信情報記録手段
３３  アラーム通知手段
３４  予約情報保持部
３５  アラーム設定保持部
４１  端末動作設定手段
４２  端末状態検知手段
４３  端末動作制御手段
４４  ユーザ通知手段
４５  動作設定保持部
５０  無線制御部
６０  通話処理部
６１  通信制御手段
６２  復号手段
６３  符号化手段
６４  電話帳保持部
７０  重畳手段
８１  番組録画設定テーブル
８２  番組開始通知設定テーブル
８３  予約テーブル
８４  電話帳設定テーブル
８５  アラーム設定テーブル
８６  スケジュール設定テーブル
【図１】
0004689613.tif 000002
【図２】
0004689613.tif 000003
【図３】
0004689613.tif 000004
【図４】
0004689613.tif 000005
【図５】
0004689613.tif 000006
【図６】
0004689613.tif 000007
【図７】
0004689613.tif 000008
【図８】
0004689613.tif 000009
【図９】
0004689613.tif 000010
【図１０】
0004689613.tif 000011
【図１１】
0004689613.tif 000012
【図１２】
0004689613.tif 000013
【図１３】
0004689613.tif 000014
【図１４】
0004689613.tif 000015